(57)【特許請求の範囲】
【請求項１】
載置部の４つの角部に形成されたコップ状の脚部からなる隅部脚部群と、隅部脚部群の中間に形成された同じくコップ状の脚部からなる中間部脚部群と、載置部の中央部に形成された同じくコップ状の脚部からなる中央部脚部群とを有し、フルネスティング及びハーフネスティングが可能な合成樹脂製パレットにおいて、載置部の周縁から垂下された周縁リブの下端と、周縁リブに隣接し、且つ、その下端が、周縁リブの下端より下方に位置する脚部群間リブの下端とを連結するとともに、相対する隅部脚部群の脚部と中間部脚部群の脚部とを連結する帯状連結板を形成することにより、周縁リブと周縁リブに隣接した脚部群間リブと帯状連結板と隅部脚部群の脚部の側壁と中間部脚部群の脚部の側壁とにより、上方が開口された箱状の空間部が形成されており、また、帯状連結板を、載置部の周縁から垂下された周縁リブの下端と、周縁リブに隣接し、且つ、その下端が、周縁リブの下端より下方に位置する脚部群間リブの下端とを連結するように構成することにより、帯状連結板を、周縁リブに隣接する脚部群間から周縁リブに向かって、上方に傾斜するように構成することにより、下に位置する合成樹脂製パレットの載置部と上に位置する合成樹脂製パレットの帯状連結板との間に、フォークの先端部が挿入可能な楔状の空間部が形成されていることを特徴とする合成樹脂製パレット。
【請求項２】
周縁リブと周縁リブに隣接した脚部群間リブと帯状連結板と隅部脚部群の脚部の側壁と中間部脚部群の脚部の側壁とにより、上方が開口された箱状の空間部内には、周縁リブ及び脚部群間リブに直角な区画リブが配設されていることを特徴とする請求項１に記載の合成樹脂製パレット。
【発明の詳細な説明】
【０００１】
【発明の属する技術分野】
本発明は、荷物が載置される載置部の下面に、複数の脚部が形成されている片面使用の合成樹脂製パレットに関するものである。
【０００２】
【従来の技術】
従来、図４〜図６に示されているように、載置部１の下面の４つの角部に形成された、複数の上方が開放され、且つ、有底なコップ状の脚部２ａ、２ｂからなる隅部脚部群２と、隅部脚部群２の中間に形成された、同じく複数のコップ状の脚部３ａ、３ｂからなる中間部脚部群３と、載置部の下面の中央部に形成された、同じく複数のコップ状の脚部４ａ、４ｂからなる中央部脚部群４とを有し、隅部脚部群２と中間部脚部群３との間及び中間部脚部群３と中央部脚部群４との間に、フォークが挿入可能なフォーク挿入空間部５が形成されている合成樹脂製パレットが知られている。
【０００３】
載置部１には、周縁から垂下された周縁リブ１ａが形成されており、また、隅部脚部群２と中間部脚部群３間に位置する載置部１の下面には、周縁リブ１ａに平行で、且つ、周縁リブ１ａの下端より、その下端が下方に位置する、適当数の脚部群間リブ１ｂが垂設されている。更に、周縁リブ１ａと周縁リブ１ａに隣接する脚部群間リブ１ｂとの間には、周縁リブ１ａと周縁リブ１ａに隣接する脚部群間リブ１ｂを連結する略三角形状の板状の連結傾斜リブ１ｃが形成されており、略三角形状の連結傾斜リブ１ｃは、その下端１ｃ１が、周縁リブ１ａに隣接する脚部群間リブ１ｂから周縁リブ１ａに向かって、上方に傾斜するように構成されている。
【０００４】
上述した合成樹脂製パレットは、上に位置する合成樹脂製パレットＰａと、下に位置する合成樹脂製パレットＰｂとを、同じ向きに配置した場合には、下に位置する合成樹脂製パレットＰｂの上方が開放され、且つ、有底なコップ状の脚部２ａ、２ｂ、３ａ、３ｂ、４ａ、４ｂに、上に位置する合成樹脂製パレットＰａの脚部２ａ、２ｂ、３ａ、３ｂ、４ａ、４ｂの略全部が挿入され、図６に示されているように、複数の合成樹脂製パレットを、高さの低いコンパクトな状態に積み重ねることができ、また、上に位置する合成樹脂製パレットＰａを、平面的に、１８０度回転させると、上に位置する合成樹脂製パレットＰａの脚部２ａ、２ｂ、３ａ、３ｂ、４ａ、４ｂの一部が、下に位置する合成樹脂製パレットＰｂの脚部２ａ、２ｂ、３ａ、３ｂ、４ａ、４ｂに挿入されて、上に位置する合成樹脂製パレットＰａと下に位置する合成樹脂製パレットＰｂとの間に、フォークが挿入可能な間隙が形成されるように構成されている。
【０００５】
なお、以下においては、上述したような、上に位置する合成樹脂製パレットＰａの脚部２ａ、２ｂ、３ａ、３ｂ、４ａ、４ｂの略全部が、下に位置する合成樹脂製パレットＰｂの脚部２ａ、２ｂ、３ａ、３ｂ、４ａ、４ｂに挿入されるような積み重ねを、フルネスティングと称し、また、上に位置する合成樹脂製パレットＰａの脚部２ａ、２ｂ、３ａ、３ｂ、４ａ、４ｂの一部が、下に位置する合成樹脂製パレットＰの脚部２ａ、２ｂ、３ａ、３ｂ、４ａ、４ｂに挿入されて、上に位置する合成樹脂製パレットＰａと下に位置する合成樹脂製パレットＰｂとの間に、フォークが挿入可能な間隙が形成されるような積み重ねを、ハーフネスティングと称する。
【０００６】
ところで、フルネスティング状態に段積みされた合成樹脂製パレットから、所望の合成樹脂製パレットを分離する際には、下に位置する合成樹脂製パレットＰｂの載置部１と上に位置する合成樹脂製パレットＰａの連結傾斜リブ１ｃとの間に形成された楔状の空間部Ｓ１に、フォークＦのフォーク先端部ｆ１を挿入し、その後、フォークＦを上動させることにより、段積みされた合成樹脂製パレットから、所望の合成樹脂製パレットを分離するような分離作業が行われている。
【０００７】
【発明が解決しようとする課題】
上述した従来の合成樹脂製パレットにおいては、フルネスティング状態に段積みされた合成樹脂製パレットから、所望の合成樹脂製パレットを分離する際に、下に位置する合成樹脂製パレットＰｂの載置部１と上に位置する合成樹脂製パレットＰａの連結傾斜リブ１ｃとの間に形成された楔状の空間部Ｓ１に、フォークＦのフォーク先端部ｆ１を挿入した場合には、フォークＦのフォーク先端部ｆ１が、上に位置する合成樹脂製パレットＰａの連結傾斜リブ１ｃや脚部群間リブ１ｂに当接するために、連結傾斜リブ１ｃや脚部群間リブ１ｂが損傷するという問題があった。また、フォークＦにより支持された上に位置する合成樹脂製パレットＰａを持ち上げる際には、板状の連結傾斜リブ１ｃに、上に位置する合成樹脂製パレットＰａの重量に起因する負荷がかかるので、連結傾斜リブ１ｃが損傷するという問題があった。
【０００８】
本発明の目的は、上述した従来の合成樹脂製パレットが有する課題を解決することにある。
【０００９】
【課題を解決するための手段】
本発明は、上述した目的を達成するために、載置部の４つの角部に形成されたコップ状の脚部からなる隅部脚部群と、隅部脚部群の中間に形成された同じくコップ状の脚部からなる中間部脚部群と、載置部の中央部に形成された同じくコップ状の脚部からなる中央部脚部群とを有し、フルネスティング及びハーフネスティングが可能な合成樹脂製パレットにおいて、第１には、載置部の周縁から垂下された周縁リブの下端と、周縁リブに隣接し、且つ、その下端が、周縁リブの下端より下方に位置する脚部群間リブの下端とを連結するとともに、相対する隅部脚部群の脚部と中間部脚部群の脚部とを連結する帯状連結板を形成することにより、周縁リブと周縁リブに隣接した脚部群間リブと帯状連結板と隅部脚部群の脚部の側壁と中間部脚部群の脚部の側壁とにより、上方が開口された箱状の空間部が形成されており、また、帯状連結板を、載置部の周縁から垂下された周縁リブの下端と、周縁リブに隣接し、且つ、その下端が、周縁リブの下端より下方に位置する脚部群間リブの下端とを連結するように構成することにより、帯状連結板を、周縁リブに隣接する脚部群間から周縁リブに向かって、上方に傾斜するように構成することにより、下に位置する合成樹脂製パレットの載置部と上に位置する合成樹脂製パレットの帯状連結板との間に、フォークの先端部が挿入可能な楔状の空間部を形成したものであり、第２には、周縁リブと周縁リブに隣接した脚部群間リブと帯状連結板と隅部脚部群の脚部の側壁と中間部脚部群の脚部の側壁とにより、上方が開口された箱状の空間部内には、周縁リブ及び脚部群間リブに直角な区画リブを配設したものである。
【００１０】
【実施例】
以下に、図１〜図３を用いて、本発明の実施例について説明するが、本発明の趣旨を越えない限り何ら、本実施例に限定されるものではない。なお、上述した従来の合成樹脂製パレットとは、周縁リブ１ａと周縁リブ１ａに隣接する脚部群間リブ１ｂを連結する略三角形状の連結傾斜リブ１ｃ付近の構成が異なる以外は、同じ構成を有しているので、同じ構成部材については、同じ符号を使用するとともに、その詳細な説明は省略する。
【００１１】
本実施例においても、上述した従来の合成樹脂製パレットと同様に、載置部１の周縁から垂下された周縁リブ１ａが形成されており、また、隅部脚部群２と中間部脚部群３間に位置する載置部１の下面には、周縁リブ１ａに平行で、且つ、周縁リブ１ａの下端より、その下端が下方に位置する、適当数の脚部群間リブ１ｂが垂設されている。本実施例においては、周縁リブ１ａの下端と、周縁リブ１ａに隣接している脚部群間リブ１ｂの下端とを連結するとともに、隅部脚部群２を構成する複数の脚部２ａ、２ｂと中間部脚部群３を構成する複数の脚部３ａ、３ｂのうち、相対する隅部脚部群２の脚部２ａ、２ｂの側壁２ａ１、２ｂ１と中間部脚部群３の脚部３ａ、３ｂの側壁３ａ１、３ｂ１とを連結する帯状連結板１０が配設されている。そして、周縁リブ１ａと、周縁リブ１ａに隣接している脚部群間リブ１ｂと、帯状連結板１０と、相対する隅部脚部群２の脚部２ａ、２ｂの側壁２ａ１、２ｂ１と中間部脚部群３の脚部３ａ、３ｂの側壁３ａ１、３ｂ１とにより、上方が開口された箱状の空間部Ｓ２が形成されている。
【００１２】
周縁リブ１ａに隣接している脚部群間リブ１ｂの下端は、周縁リブ１ａの下端より、下方に位置しているので、周縁リブ１ａに隣接している脚部群間リブ１ｂの下端と周縁リブ１ａの下端とを連結する帯状連結板１０は、周縁リブ１ａに隣接する脚部群間リブ１ｂから周縁リブ１ａに向かって、上方に傾斜するように構成されている。従って、下に位置する合成樹脂製パレットＰｂの載置部１と上に位置する合成樹脂製パレットＰａの帯状連結板１０との間には、フォークＦの先端部ｆ１が挿入可能な楔状の空間部Ｓ３が形成されている。
【００１３】
また、周縁リブ１ａと、周縁リブ１ａに隣接している脚部群間リブ１ｂと、帯状連結板１０と、相対する隅部脚部群２の脚部２ａ、２ｂの側壁２ａ１、２ｂ１と中間部脚部群３の脚部３ａ、３ｂの側壁３ａ１、３ｂ１とにより形成された上方が開口された箱状の空間部Ｓ２内には、周縁リブ１ａと脚部群間リブ１ｂと帯状連結板１０とを連結するとともに、周縁リブ１ａ及び脚部群間リブ１ｂに直角な板状の区画リブ１１が配設されている。
【００１４】
そして、上述した従来の合成樹脂製パレットと同様に、フルネスティング状態に段積みされた合成樹脂製パレットから、所望の合成樹脂製パレットを分離する際には、下に位置する合成樹脂製パレットＰｂの載置部１と上に位置する合成樹脂製パレットＰａの帯状連結板１０との間に形成された楔状の空間部Ｓ３に、フォークＦのフォーク先端部ｆ１を挿入することになるが、本実施例においては、フォーク先端部ｆ１が当接する部分が、上述した従来の合成樹脂製パレットのように、連結傾斜リブ１ｃではなく、強度的に強い帯状連結板１０により形成されているので、帯状連結板１０が損傷するようなことを防止することができる。
【００１５】
また、上方が開口された箱状の空間部Ｓ２内には、周縁リブ１ａと脚部群間リブ１ｂと帯状連結板１０とを連結するとともに、周縁リブ１ａ及び脚部群間リブ１ｂに直角な板状の区画リブ１１が配設されているので、帯状連結板１０や周縁リブ１ａの強度が向上し、従って、フォークＦのフォーク先端部ｆ１が、帯状連結板１０や周縁リブ１ａに当接しても、帯状連結板１０や周縁リブ１ａが損傷するようなことはない。
【００１６】
【発明の効果】
本発明は、以上説明した構成を有しているので、以下に記載する効果を奏するものである。
【００１７】
周縁リブの下端と、周縁リブに隣接している脚部群間リブの下端とを連結するとともに、相対する隅部脚部群の脚部と中間部脚部群の脚部とを連結する帯状連結板が配設されているので、下に位置する合成樹脂製パレットと上に位置する合成樹脂製パレットとの間に形成された楔状の空間部に、フォーク先端部が挿入された際に、フォーク先端部が当接しても、帯状連結板が損傷するようなことがない。
【００１８】
周縁リブと、周縁リブに隣接している脚部群間リブと、帯状連結板と、相対する隅部脚部群の脚部と中間部脚部群の脚部とにより形成された上方が開口された箱状の空間部内に、区画リブが配設されているので、帯状連結板や周縁リブの強度が向上し、従って、フォーク先端部が、帯状連結板や周縁リブに当接しても、帯状連結板や周縁リブが損傷するようなことがない。
【図面の簡単な説明】
【図１】図１は本発明の合成樹脂製パレットの斜視図である。
【図２】図２は本発明の合成樹脂製パレット等の部分拡大斜視図である。
【図３】図３は本発明の２つの合成樹脂製パレットがフルネスティングされた状態の正面図である。
【図４】図４は従来の合成樹脂製パレットの斜視図である。
【図５】図５は従来の合成樹脂製パレット等の部分拡大斜視図である。
【図６】図６は従来の２つの合成樹脂製パレットがフルネスティングされた状態の正面図である。
【符号の説明】
１・・・・・・・・・・・・・・・・・載置部
１ａ・・・・・・・・・・・・・・・・周縁リブ
２・・・・・・・・・・・・・・・・・隅部脚部群
３・・・・・・・・・・・・・・・・・中間部脚部群
４・・・・・・・・・・・・・・・・・中央部脚部群
１０・・・・・・・・・・・・・・・・帯状連結板
１１・・・・・・・・・・・・・・・・区画リブ
【図１】
0004038042.tif 000002
【図２】
0004038042.tif 000003
【図３】
0004038042.tif 000004
【図４】
0004038042.tif 000005
【図５】
0004038042.tif 000006
【図６】
0004038042.tif 000007